(57)【要約】【課題】  安価な構造でグランド接続を容易に行うこと。【解決手段】  金属板製フレーム２ｂに所定間隔αをおいて各種電子部品を実装したプリント配線基板からなる制御基板３が係止され、該フレーム２ｂと制御基板３との間の隙間Ｓの適所に導電性接続部材８が介在された電子機器において、前記導電性接続部材８が、プリント配線基板からなる一対のリング状端板９と所定長さのコイルばね１０とを有し、前記各端板９の中心孔９ａの内径Ｄよりも小さい間隔ｄで平行する一対のジャンパーワイヤ１１が該中心孔９ａの軸心Ｏを間に挟んでその各端板９に配設されると共に、該各ジャンパーワイヤ１１の端部が各端板９の導電層１３に半田付け１４されており、前記コイルばね１０の両端部を各端板９の両ジャンパーワイヤ１１間にねじ込むことにより、そのコイルばね１０と両端板９とが一体的に連結されている。【選択図】        図１
2009283612.tif 000002
【特許請求の範囲】
【請求項１】
金属板製フレームに所定間隔をおいて各種電子部品を実装したプリント配線基板からな
る制御基板が係止され、該フレームと制御基板との間の隙間の適所に導電性接続部材が介
在された電子機器において、前記導電性接続部材が、プリント配線基板からなる一対のリ
ング状端板と所定長さのコイルばねとを有し、前記各端板の中心孔の内径よりも小さい間
隔で平行する一対のジャンパーワイヤが該中心孔の軸心を間に挟んでその各端板に配設さ
れると共に、該各ジャンパーワイヤの端部が各端板の導電層に半田付けされており、前記
コイルばねの両端部を各端板の両ジャンパーワイヤ間にねじ込むことにより、そのコイル
ばねと両端板とが一体的に連結されていることを特徴とする電子機器。
【請求項２】
前記各端板がプリント配線基板の捨板により形成されていることを特徴とする請求項１
に記載の電子機器。
【請求項３】
キャビネット内に液晶モジュ−ルが配置され、該液晶モジュ−ルのリアフレームに所定
間隔をおいて各種電子部品を実装したプリント配線基板からなる制御基板が係止され、液
晶モジュ−ルの前面に設けた液晶パネルに映像を表示するようにした薄型表示装置であっ
て、前記リアフレームと制御基板との間の隙間の適所に導電性接続部材が介在された電子
機器において、前記導電性接続部材が、プリント配線基板の捨板からなる一対のリング状
端板と所定長さのコイルばねとを有し、前記各端板の中心孔の内径よりも小さい間隔で平
行する一対のジャンパーワイヤが該中心孔の軸心を間に挟んでその各端板に配設されると
共に、該各ジャンパーワイヤの端部が各端板の導電層に半田付けされており、前記コイル
ばねの両端部を各端板の両ジャンパーワイヤ間にねじ込むことにより、そのコイルばねと
両端板とが一体的に連結されていることを特徴とする電子機器。
【発明の詳細な説明】
【技術分野】
【０００１】
本発明は、薄型表示装置（例えば液晶テレビや液晶モニター）などの電子機器に関し、
特に、安価な構造でグランド接続を容易に行うことができるようにしたものである。
【背景技術】
【０００２】
電子機器の一例として図５の縦断面図に示すものがあり、これは、液晶テレビであって
、フロントキャビネット１ａ及びリアキャビネット１ｂからなるキャビネット１内に液晶
モジュ−ル２が配置され、該液晶モジュ−ル２の前面に液晶パネル２ａが配置されると共
に、該液晶モジュ−ル２の後部にリアフレーム（フレーム）２ｂが配置され、その液晶パ
ネル２ａとリアフレーム２ｂとの間に冷陰極管（図示せず）が配置され、そのリアフレー
ム２ｂに所定間隔αをおいて各種電子部品を実装したプリント配線基板からなる制御基板
３がビス４により係止されている。
【０００３】
動作手順を説明すると、液晶モジュ−ル２を作動させ、冷陰極管により液晶パネル２ａ
を後方から照らし、該液晶パネル２ａに映像を表示する。
【０００４】
上記構成において、電子放電や静電気放電によるノイズ対策として、制御基板３を係止
するビス４を利用して、該ビス４により制御基板３のグランド面とリアフレーム２ｂとが
接続されているが、これだけでは、制御基板３のビス４から離れたインピーダンスが高い
部分でラインにノイズが乗って誤作動するおそれある。
【０００５】
そこで、リアフレーム２ｂから舌片を切り起こし、その舌片の先端を制御基板３のグラ
ンド面に接地させることにより、制御基板３のインピーダンスが高い部分でラインにノイ
ズが乗らないようにすることが考えられるが、これでは、リアフレーム２ｂから舌片を切
り起こすために、そのリアフレーム２ｂを成形する金型の設計変更を行う必要があり、設
計変更費が高くつくと共に、量産日程が大幅に遅れることになる。
【０００６】
従来、上記問題点を解消する技術として図６（ａ）を示す同要部の装着状態の側面図及
び図６（ｂ）に示す同要部の斜視図に示すように、導電性接続部材６が用いられており、
これは、導電性糸で編んだ弾性変位可能な角筒状の筒体６ａと、該筒体６ａ内に充填した
発泡合成樹脂などからなる弾力性に優れた芯材６ｂとからなり、その縦幅ａ及び横幅ｂが
縮小可能に設定されている。
【０００７】
上記構成において、図６（ａ）に示すように、導電性接続部材６を圧縮してリアフレー
ム２ｂと制御基板３との間の隙間Ｓに押し込んでその位置を調整し、その導電性接続部材
６により制御基板３のインピーダンスが高い部分のグランド面とリアフレーム２ｂとを接
続する。なお、関連する技術として特許文献１に記載したものがある。
【特許文献１】特開２００７−２０１１５９号公報
【発明の開示】
【発明が解決しようとする課題】
【０００８】
上記従来の構成では、導電性接続部材６の筒体６ａが高価な導電性糸で編まれており、
また、リアフレーム２ｂと制御基板３との間の間隔αの変更に合わせて縦幅ａ及び横幅ｂ
が異なる複数種類の導電性接続部材６を用意する必要があるから、製作費が高くつく。
【０００９】
本発明は、上記従来の欠点に鑑み、安価な構造でグランド接続を容易に行うことができ
るようにした電子機器を提供することを目的としている。
【課題を解決するための手段】
【００１０】
上記目的を達成するため、請求項１に記載の発明は、金属板製フレームに所定間隔をお
いて各種電子部品を実装したプリント配線基板からなる制御基板が係止され、該フレーム
と制御基板との間の隙間の適所に導電性接続部材が介在された電子機器において、前記導
電性接続部材が、プリント配線基板からなる一対のリング状端板と所定長さのコイルばね
とを有し、前記各端板の中心孔の内径よりも小さい間隔で平行する一対のジャンパーワイ
ヤが該中心孔の軸心を間に挟んでその各端板に配設されると共に、該各ジャンパーワイヤ
の端部が各端板の導電層に半田付けされており、前記コイルばねの両端部を各端板の両ジ
ャンパーワイヤ間にねじ込むことにより、そのコイルばねと両端板とが一体的に連結され
ていることを特徴としている。
【００１１】
請求項２に記載の発明によれば、請求項１に記載の発明によれば、前記各端板がプリン
ト配線基板の捨板により形成されていることを特徴としている。
【００１２】
請求項３に記載の発明によれば、キャビネット内に液晶モジュ−ルが配置され、該液晶
モジュ−ルのリアフレームに所定間隔をおいて各種電子部品を実装したプリント配線基板
からなる制御基板が係止され、液晶モジュ−ルの前面に設けた液晶パネルに映像を表示す
るようにした薄型表示装置であって、前記リアフレームと制御基板との間の隙間の適所に
導電性接続部材が介在された電子機器において、前記導電性接続部材が、プリント配線基
板の捨板からなる一対のリング状端板と所定長さのコイルばねとを有し、前記各端板の中
心孔の内径よりも小さい間隔で平行する一対のジャンパーワイヤが該中心孔の軸心を間に
挟んでその各端板に配設されると共に、該各ジャンパーワイヤの端部が各端板の導電層に
半田付けされており、前記コイルばねの両端部を各端板の両ジャンパーワイヤ間にねじ込
むことにより、そのコイルばねと両端板とが一体的に連結されていることを特徴としてい
る。
【発明の効果】
【００１３】
請求項１に記載の発明によれば、導電性接続部材が安価な一対のリング状端板とコイル
ばねとからなり、製作費が安くつく。また、コイルばねの長さを調整するだけで、その導
電性接続部材の長さを所望通りに設定することができ、この点でも製作費が安くつく。
【００１４】
更に、コイルばねの両端部を各端板の両ジャンパーワイヤ間にねじ込むだけで、そのコ
イルばねと両端板とを一体的に連結して、簡単に組み立てることができる。
【００１５】
請求項２に記載の発明によれば、各端板をプリント配線基板の捨板で形成することによ
り、一層製作費を安くすることができる。
【００１６】
請求項３に記載の発明によれば、請求項１及び２に記載の発明とほぼ同等の効果を得る
ことができ、特に、電子放電や静電気放電によるノイズ問題を解消した安価で実用的な液
晶テレビや液晶モニターなどの薄型表示装置を提供することができる。
【発明を実施するための最良の形態】
【００１７】
図１〜図４は本発明の実施の一形態である電子機器を示すものであり、これは液晶テレ
ビであって、図１（ａ）は同要部の平面図、図１（ｂ）は同要部の縦断面図、図１（ｃ）
はＡ−Ａ矢視図、図２は同要部の分解斜視図、図３（ａ）及び（ｂ）は同要部の組立手順
を示す斜視図、図４は同要部の装着状態を示す側面図である。
【００１８】
図１及び図２は、導電性接続部材８を示すものであって、これは、プリント配線基板か
らなる一対のリング状端板９と、所定長さｈのコイルばね１０とを有し、各端板９の中心
孔９ａの内径Ｄよりも小さい間隔ｄで平行する一対の導電性ジャンパーワイヤ１１が該中
心孔９ａの軸心Ｏを間に挟んでその各端板９に配設されると共に、該各ジャンパーワイヤ
１１の端部が各端板９のレジスト膜１２を隔離して露出させた導電層１３に半田付け１４
されており、コイルばね１０の両端部を各端板９の両ジャンパーワイヤ１１間にねじ込む
ことにより、そのコイルばね１０と両端板９とが一体的に連結されている。上記以外の構
成は図５及び図６に示す構成とほぼ同じであるから、同一部分に同一符号を付してその説
明を省略する。
【００１９】
導電性接続部材８の組立手順を説明すると、図３（ａ）に示すように、制御基板３など
のプリント配線基板Ｐをプレス成形する際に、そのプリント配線基板Ｐから不要部分とし
て捨てられる捨板から２枚の端板９を切り出すと共に、該各端板９にジャンパーワイヤ１
１の両端部を挿入するためのワイヤ挿通孔１５を貫設し、図３（ｂ）に示すように、プリ
ント配線基板Ｐに種々の加工を施す際に、同時に、各ワイヤ挿通孔１５にジャンパーワイ
ヤ１１の両端部を挿入し、半田付け１４を施す。続いて、各端板９とプリント配線基板Ｐ
とをつなぐ連結片１６を破断線Ｋに沿って破断することにより、ジャンパーワイヤ１１付
き端板９を取り出す。
【００２０】
その後、所定長さｈに設定したコイルばね１０の両端部を各端板９の両ジャンパーワイ
ヤ１１間にねじ込むことにより、そのコイルばね１０と両端板９とを一体的に連結すれば
よい。
【００２１】
導電性接続部材８の取付手順を説明すると、図４に示すように、コイルばね１０を圧縮
して長さＨを縮めた導電性接続部材８をリアフレーム（フレーム）２ｂと制御基板３との
間の隙間Ｓに押し込んで位置を調整し、各ジャンパーワイヤ１１の両端部をリアフレーム
２ｂと制御基板３とに当接させ、その導電性接続部材８により制御基板３のインピーダン
スが高い部分のグランド面とリアフレーム２ｂとを接続する。
【００２２】
上記構成によれば、導電性接続部材８が安価な一対のリング状端板９とコイルばね１０
とからなり、製作費が安くつく。また、コイルばね１０の長さｈを調整するだけで、その
導電性接続部材８の長さＨを所望通りに設定することができ、この点でも、製作費が安く
つく。
【００２３】
更に、コイルばね１０の両端部を各端板９の両ジャンパーワイヤ１１間にねじ込むだけ
で、そのコイルばね１０と両端板９とを一体的に連結して、簡単に組み立てることができ
る。
【００２４】
また更に、各端板９をプリント配線基板Ｐの捨板で形成することにより、一層製作費を
安くすることができる。
【００２５】
要するに、電子放電や静電気放電によるノイズ問題を解消した安価で実用的な液晶テレ
ビや液晶モニターなどの薄型表示装置を提供することができる。
【産業上の利用可能性】
【００２６】
上記の実施の形態では、液晶テレビや液晶モニターなどの薄型表示装置を例にあげて説
明したが、これに限定されるわけではなく、それ以外の各種電子機器にも適用される。
【図面の簡単な説明】
【００２７】
【図１】（ａ）は本発明の実施の一形態である電子機器の要部の平面図、（ｂ）は同要部の縦断面図、（ｃ）はＡ−Ａ矢視図である。
【図２】同要部の分解斜視図である。
【図３】（ａ）及び（ｂ）は同要部の組立手順を示す斜視図である。
【図４】同要部の装着状態を示す側面図である。
【図５】電子機器の一例を示す縦断面図である。
【図６】（ａ）は同要部の装着状態を示す側面図、（ｂ）は同要部の斜視図である。
【符号の説明】
【００２８】
１          キャビネット
２          液晶モジュ−ル
２ａ        液晶パネル
２ｂ        リアフレーム（フレーム）
３          制御基板
８          導電性接続部材
９          端板
９ａ        端板の中心孔
１０        コイルばね
１１        ジャンパーワイヤ
１３        導電層
１４        半田付け
Ｓ          隙間
【図１】
2009283612.tif 000003
【図２】
2009283612.tif 000004
【図３】
2009283612.tif 000005
【図４】
2009283612.tif 000006
【図５】
2009283612.tif 000007
【図６】
2009283612.tif 000008